(57)【要約】【課題】  従来のトイレットペーパーホルダーは、トイレットペーパーに芯棒を通してトイレットペーパーホルダーに取付け、トイレットペーパーホルダーの上部カッターとトイレットペーパーの切れ端とが、重なり、トイレットペーパーを使う時は、上部のカッターを持ち上げるか、トイレットペーパーを手で回転させて使用する。  また、トイレットペーパーの芯棒をトイレットペーパーホールダーに取り付けたつもりが、取り付けられていなくて、トイレットペーパーを引っ張った時に落ちる。【解決手段】  一方向にしか回転しない歯車を利用し、レバーを下げて、トイレットペーパーの切れ端をトイレットペーパーホルダーの取出口から出し、レバーが戻ってもトイレットペーパーはそのままで、繰り返し使うことができる。  また、芯棒を使うこと無くトイレットペーパーホルダーに入れて使用するため、簡単にトイレットペーパーをトイレットペーパーホルダーに取り付が出来る。【選択図】  図１
2006271943.tif 000002
【特許請求の範囲】
【請求項１】
１方向にしか回転しない歯車の歯の構造を持った歯車と同じ１方向にしか回転しない歯車の歯の構造を持ったトイレットペーパーを送り出すローラーを組み合わせてトイレットペーパーを送り出すことを特徴とするトイレットペーパーホルダー
【請求項２】
トイレットペーパーの芯棒を必要としないことを特徴とするトイレットペーパーホルダー
【発明の詳細な説明】
【技術分野】
【０００１】  この発明は、トイレットペーパーホルダーの形状に関する。
【背景技術】
【０００２】  従来のトイレットペーパーホルダーは、図８に示すようなトイレットペーパーホルダーで、金属製の物や樹脂製の物があり、トイレットペーパーに芯棒を通してトイレットペーパーホルダーに取り付ける。【０００３】  トイレットペーパーを使う時は、トイレットペーパーホルダーの上部カッターとトイレットペーパーの切れ端とが、重なった状態にあるとき、トイレットペーパーを引っ張り出すには、上部のカッターを上に持ち上げるか、トイレットペーパーを手で回転させて切れ端をつかんで引っ張り出せる状態にする。【０００４】  そして、必要な量を引っ張り出してからトイレットペーパーをトイレットペーパーホルダーの上部カッターでトイレットペーパーを切断して使用し、これを繰り返す。
【発明の開示】
【発明が解決しようとする課題】
【０００５】  しかしながら、以上の技術によれば、トイレットペーパーホルダーの上部カッターとトイレットペーパーの切れ端とが、重なった状態で、次に使用する際は上部カッターを持ち上げるか、トイレットペーパーを手で回転させて使用していた。【０００６】  そこで、この発明は、レバーを押すだけでトイレットペーパーの切れ端を出すことができ、トイレットペーパーを取り出し易くすることを提供することを課題とする。
【課題を解決するための手段】
【０００７】  以上の課題を解決するために、第一発明は、１方向にしか回転しない歯車の歯の構造を持った歯車と同じ１方向にしか回転しない歯車の歯の構造を持ったトイレットペーパーを送り出すローラーを組み合わせてトイレットペーパーを送り出すことを特徴とするトイレットペーパーホルダー。【０００８】  また、第二発明は、トイレットペーパーの芯棒を必要としないことを特徴とするトイレットペーパーホルダー。
【発明の効果】
【０００９】  第一の発明は、レバーの上下運動を歯車を利用して回転運動にし、普通の歯車の構造だとレーバーを下げて、トイレットペーパーの切れ端を出すことが出来ても、レバーが上がると歯車は逆転して、折角出たトイレットペーパーの切れ端がまた出た分だけの距離引っ込むことになる。【００１０】  この一方向にしか回転しない歯車を利用すると、レバーを下げて、トイレットペーパーの切れ端をトイレットペーパーホルダーの取出口から出し、レバーが上がってもトイレットペーパーの切れ端が出たままで、レバーが上にあがり、再度、レバーを下げて繰り返し使うことができる。【００１１】  第二の発明は、トイレットペーパーをトイレットペーパーホルダーに取り付ける際はトイレットペーパーに芯棒を入れて、更に、その芯棒をトイレットペーパーホルダーに取り付ける。【００１２】  その際、芯棒をトイレットペーパーホールダーにきちんと取り付けたつもりが、取り付けられていなくて、トイレットペーパーを引っ張った時にトイレットペーパーが落ちることがあった。【００１３】  しかし、芯棒を入れることが無くなり、トイレットペーパーをトイレットペーパーホルダーに入れるだけで使用することができる。
【発明を実施するための最良の形態】
【００１４】
【００１５】  この発明の一実施形態を、図１・図２・図３・図４・図５・図６・図７に示す。【００１６】  図１は、外形図で、図２は内部が分かる構造図です。【００１７】  フタ（１）は、フタの支点（２）を中心にフタ（１）が開閉出来る構造になっている。【００１８】  フタ（１）の先端はカッターになっておりトイレットペーパーを切ることができる。【００１９】  トイレットペーパーホルダーの背面には壁に取り付ける取り付け穴（３）がある。【００２０】  ローラー（４）は、トイレットペーパーを送り出す役目で、トイレットペーパーを送り出すローラー部と一方向にしか回転しない直角三角形の歯とで構成されています。
図３がローラー（４）単品の図面です。【００２１】  ギヤー（５）は、レバー（６）の上下運動を回転運動に変えて、ローラー（４）を動かす役目をしています。【００２２】  ギヤー（５）は、通常の両方に回転することができる通常の歯車の歯と、一方向にしか回転しない直角三角形の歯とで構成されています。
図４がギヤー（５）の単品図です。【００２３】  レバー（６）は、指で押さえる部分と通常の歯車の歯で構成されています。図５がレバー（６）単品図です。【００２４】  ギヤー用のスプリング（７）は、ギヤー（５）をローラー（４）側に押しつけている。【００２５】  レバー用のスプリング（８）は、レバー（６）を上部に押し上げている。【００２６】  正面には、ローラー（４）で押し出されたトイレットペーパーが出て来る取出口（９）があり、前面開口部（１０）でトイレットペーパーが見えるようになっている。【００２７】  ローラー（４）には、ローラー（４）とギヤー（５）のそれぞれがかみ合う直角三角形の形状の歯車の歯の直角面（１１）と直角三角形の形状の歯車の歯の傾斜面（１２）とがある。【００２８】  ギヤー（５）には、ローラー（４）とギヤー（５）のそれぞれがかみ合う直角三角形の形状の歯車の歯の直角面（１１）と直角三角形の形状の歯車の歯の傾斜面（１２）とがある。【００２９】更に、ギヤー（５）にはどちらにでも回転できる通常の歯車の歯（１３）がある。
【実施形態の効果】
【００３０】
【００３１】  この実施形態によれば、上部のフタ（１）を開けて、トイレットペーパーをトイレットペーパーホルダーの中に入れ、最初だけ、トイレットペーパーの端をトイレットペーパー取出口（９）から出る位置まで引っ張り出してフタ（１）をする。
【００３２】  フタ（１）の先端がカッターになっており、この状態でカッターでトイレットペーパーを切るとトイレットペーパーの端とカッターが重なった状態となる。
【００３３】  そこで、レバー（６）を下に下げるとレバー（６）の歯車の歯（１３）で、ギヤーの歯車の歯（１３）を回転させて、ローラー（４）を回転させる。
【００３４】  図６がその状態を説明するための図です。
【００３５】  レバー（６）がＡの移動方向に指で押し下げられると、レバー（６）のギヤー（５）と接している歯車の歯（１３）とギヤー（５）のレバーと接している歯車の歯（１３）は普通の凸凹の形状の歯車の歯の形状をしているため、この歯車の歯でレバー（６）の上下運動がギヤー（５）の回転運動となりＢの方向に回転する。
【００３６】  ギヤー（５）のローラー（４）と接している面とローラー（４）のギヤー（５）と接している面が、図３と図４で分かるように、歯車の歯が直角三角形の形状になっている。
【００３７】  レバー（６）が押し下げられる時は、ギヤー（５）とローラー（４）のこの直角三角形の垂直面（１１）が接しているため、ギヤー（５）が回転すれば、ローラー（４）も一緒に回転しトイレットペーパーは押し出される。
【００３８】  レバー（６）を下まで下げるとレバー用スプリング（８）が圧縮された状態で、レバー（６）から手を離すとレーバー（６）が元の位置に上がる。
【００３９】  その動きは図７が説明するための図です。
【００４０】  レバー（６）は、レバー用スプリング（８）の力でＸの移動方向に移動する。
【００４１】  この時、ギヤー（５）をＹの回転方向に回転をさせるが、ギヤー（５）とローラー（４）が接している面の歯車の歯が直角三角形の傾斜面（１２）が接しているため、ギヤー（５）はＹの回転方向に回転をするが、ギヤー（５）とローラー（４）接する面が斜面のため、ローラー（４）は回転せず、ローラー（４）の歯車の歯の直角三角形の傾斜面（１２）をすべり上がるため、ギヤー（５）はＺのギヤー移動方向に移動する。
【００４２】  それぞれの歯車の歯の傾斜面（１２）の頂点に達すると、ギヤー用スプリング（７）の力でギヤー（５）は、ローラー（４）に押さえつけられる。
【００４３】  これを繰り返すため、ローラー（４）は、Ｙの回転方向には回転せず、トイレットペーパーは飛び出した状態のままでいる。
【００４４】  前面開口部（１０）は、ローラーが不良の際にトイレットペーパーを直接回転させて利用できるように開口してあり、また、開口部が無ければ、内部に埃がたまった時取り除きにくくなるために前面開口部（１０）を設けている。
【他の実施形態】
【００４５】
【００４６】  本実施形態では、トイレットペーパーを押し出すローラーが片側しかないが、他の実施形態では、両側に設けても良い。
【図面の簡単な説明】
【００４７】
【００４８】
【図１】  この発明の一実施形態を示す外形図である。
【図２】  この発明の一実施形態を示す内部構造図である。
【図３】  この発明の一実施形態を示す使用部品の一つのローラーの図面である。
【図４】  この発明の一実施形態を示す使用部品の一つのギヤーの図面である。
【図５】  この発明の一実施形態を示す使用部品の一つのレバーの図面である。
【図６】  この発明の一実施形態を示す主要部品のローラー・ギヤー・レバーの組み合わせを示す図で、レバーを下げた時の各部の動作の解説図である。
【図７】  この発明の一実施形態を示す主要部品のローラー・ギヤー・レバーの組み合わせを示す図で、レバーが上がる時の各部の動作の解説図である。
【図８】  従来技術を示す第三角方の図である。
【符号の説明】
【００４９】１  フタ                                  ２  フタの支点
３  取付穴                                ４  ローラー
５  ギヤー                                ６  レバー
７  ギヤー用スプリング                    ８  レバー用スプリング
９  トイレットペーパー取出口              １０前面開口部
１１直角三角形の形状の歯車の歯の垂直面    １２直角三角形の形状の歯車の歯の傾斜面
１３通常の歯車の歯
Ａ  レバーの移動方向（下）                Ｂ  移動方向Ａに対する回転方向
Ｘ  レバーの移動方向（上）                Ｙ  移動方向Ｘに対する回転方向
Ｚ  ギヤーの移動方向
【図１】
2006271943.tif 000003
【図２】
2006271943.tif 000004
【図３】
2006271943.tif 000005
【図４】
2006271943.tif 000006
【図５】
2006271943.tif 000007
【図６】
2006271943.tif 000008
【図７】
2006271943.tif 000009
【図８】
2006271943.tif 000010